(57)【特許請求の範囲】
【請求項１】
デジタルオ−デイオデイスクへの記録に際しては、１以上のオリジナル楽曲と、前記オリジナル楽曲とは別に選択的に再生するためのボ−ナス楽曲のアナログオ−デイオ信号を９６ｋＨｚより高いサンプリング周波数でＡ／Ｄ変換してデジタルデ−タ列を生成するステツプと、
補助信号の記録領域と主信号の記録領域とが連続して配置されて、前記補助信号の記録領域にデイスクを識別するためのデイスク識別子を少なくとも含むと共に、前記主信号の記録領域に、
１以上のオリジナル楽曲と、前記オリジナル楽曲とは別に選択的に再生するためのボ−ナス楽曲とを、管理するオ−デイオマネジヤ（ＡＭＧ）と、
前記オリジナル楽曲の構成要素である第１のオ−デイオパツクと、
前記ボ−ナス楽曲の構成要素である第２のオ−デイオパツクと、
前記第１のオ−デイオパツクと第２のオ−デイオパツクでそれぞれ構成される各インデツクスと、
前記各インデツクスでそれぞれ構成される各トラックと、
前記各トラックでそれぞれ構成される各オ−デイオコンテンツブロツクと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容するインタラクテイブデ−タと、
再生装置が前記ボ−ナス楽曲をサ−チするためのサ−チ情報と、
再生装置が前記オリジナル楽曲のトラックをサ−チするためのサ−チ情報と、
を少なくとも含む所定のフオ−マツトにより符号化し、変調して記録するステツプと、により記録されたデジタルオ−デイオデイスク。
【請求項２】
請求項１記載のデジタルオーディオディスクの再生方法であって、
前記デイスク識別子に基づいてデイスクを識別するステツプと、
前記デジタルオ−デイオデイスクと識別された場合、前記ボ−ナス楽曲にアクセスするためのインタラクテイブデ−タを受け入れるステツプと、
前記１つ以上のオリジナル楽曲を前記入力インタラクテイブデ−タと関係なく再生すると共に、前記入力インタラクテイブデ−タと前記デイスクに記録されたインタラクテイブデ−タが一致した場合に前記ボ−ナス楽曲を再生するステツプと、
から成るデジタルオ−デイオデイスクの再生方法。
【発明の詳細な説明】
【０００１】
【発明の属する技術分野】
本発明は、デジタルオーディオディスク及びその再生方法に関する。
【０００２】
【従来の技術】
ＤＶＤ（デジタルビデオディスク、デジタルバーサタイルディスク）は、ＣＤ（コンパクトディスク）と比べて大容量であるので、音楽などのオーディオディスクとしても着目されている。
【０００３】
【発明が解決しようとする課題】
ところで、ＤＶＤはＣＤより高密度記録が可能であり、記録時間に余裕があるので、これを音楽の記録媒体としてどのように利用するかが課題とされている。例えば音楽ソースとしてオリジナルの楽曲の他に、そのカラオケやＢＧＭとして選択的に再生することができればユーザにとって楽しみ方が広がる。また、ユーザが何度も再生操作を行うにしたがって楽しみ方が広がるような利用方法が望まれる。
【０００４】
本発明は上記問題点に鑑み、ユーザが多種多様な再生を行うことができ、また、ディスク製作者が同一ディスクを異なる方法で利用することができるデジタルオーディオディスク及びその再生方法を提供することを目的とする。
【０００５】
【課題を解決するための手段】
本発明は上記目的を達成するために、以下の１）及び２）の手段よりなる。
すなわち、
１）デジタルオ−デイオデイスクへの記録に際しては、１以上のオリジナル楽曲と、前記オリジナル楽曲とは別に選択的に再生するためのボ−ナス楽曲のアナログオ−デイオ信号を９６ｋＨｚより高いサンプリング周波数でＡ／Ｄ変換してデジタルデ−タ列を生成するステツプと、
補助信号の記録領域と主信号の記録領域とが連続して配置されて、前記補助信号の記録領域にデイスクを識別するためのデイスク識別子を少なくとも含むと共に、前記主信号の記録領域に、
１以上のオリジナル楽曲と、前記オリジナル楽曲とは別に選択的に再生するためのボ−ナス楽曲とを、管理するオ−デイオマネジヤ（ＡＭＧ）と、
前記オリジナル楽曲の構成要素である第１のオ−デイオパツクと、
前記ボ−ナス楽曲の構成要素である第２のオ−デイオパツクと、
前記第１のオ−デイオパツクと第２のオ−デイオパツクでそれぞれ構成される各インデツクスと、
前記各インデツクスでそれぞれ構成される各トラックと、
前記各トラックでそれぞれ構成される各オ−デイオコンテンツブロツクと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容するインタラクテイブデ−タと、
再生装置が前記ボ−ナス楽曲をサ−チするためのサ−チ情報と、
再生装置が前記オリジナル楽曲のトラックをサ−チするためのサ−チ情報と、
を少なくとも含む所定のフオ−マツトにより符号化し、変調して記録するステツプと、により記録されたデジタルオ−デイオデイスク。
２）請求項１記載のデジタルオーディオディスクの再生方法であって、
前記デイスク識別子に基づいてデイスクを識別するステツプと、
前記デジタルオ−デイオデイスクと識別された場合、前記ボ−ナス楽曲にアクセスするためのインタラクテイブデ−タを受け入れるステツプと、
前記１つ以上のオリジナル楽曲を前記入力インタラクテイブデ−タと関係なく再生すると共に、前記入力インタラクテイブデ−タと前記デイスクに記録されたインタラクテイブデ−タが一致した場合に前記ボ−ナス楽曲を再生するステツプと、
から成るデジタルオ−デイオデイスクの再生方法。
【０００６】
【発明の実施の形態】
以下、図面を参照して本発明の実施の形態を説明する。図１は本発明に適用されるＤＶＤエンハンストオーディオディスクのエンコード装置の一実施形態を示すブロック図、図２は図１の信号処理回路を詳細に示すブロック図、図３は図１のＡ／Ｄ変換器のサンプリング周期とＡ／Ｄ変換データ列を示す説明図、図４は図２の信号処理回路により処理されたユーザデータのフォーマットを示す説明図、図５は図１のＤＶＤ符号化回路によりフォーマットされるオーディオパックと、ビデオパックとプログラムパックのフォーマットを示す説明図である。
図６は本発明に適用されるＤＶＤエンハンストオーディオディスクのリードインエリア及びデータエリアのフォーマットを示す説明図、図７は図６のコントロールデータブロックのフォーマットを詳細に示す説明図、図８は図７のフィジカル・フォーマット・インフォメーションのフォーマットを詳細に示す説明図、図９はＤＶＤビデオのフォーマットと図１のＤＶＤ符号化回路によりフォーマットされるＤＶＤ−エンハンストオーディオのフォーマットを示す説明図、図１０は図９のオーディオコンテンツブロックユニット（ＡＣＢＵ）を詳細に示す説明図、図１１は図１０のオーディオコントロール（Ａ−ＣＯＮＴ）パックを詳細に示す説明図、図１２は図１１のＡ−ＣＯＮＴパック内のオーディオサーチデータ（ＡＳＤ）を詳細に示す説明図である。
図１３は本発明に適用されるＤＶＤエンハンストオーディオディスクのデコード装置の一実施形態を示すブロック図、図１４は図１３の制御部のディスク識別処理とプログラム読み込み処理を説明するためのフローチャート、図１５は図１３の信号処理回路を詳細に示すブロック図、図１６は図１５の信号処理回路の処理を示す説明図、図１７は図１３の制御部の再生処理を説明するためのフローチャートである。
【０００７】
次に、図１を参照してエンコーダの構成を詳細に説明する。入力端子ＩＮにはアナログオーディオ信号が入力され、この入力信号はＡ／Ｄコンバータ３１により十分高いサンプリング周波数（図３に示すサンプリング周期Δｔ）、例えば１９２ｋＨｚでサンプリングされて例えば２４ビットの高分解能のＰＣＭ信号に変換され、図３に示すように曲線αに対応するデータ列
ｘb1，ｘ1 ，ｘa1，ｘ2，ｘb2，ｘ3，ｘa2，
・・・，ｘbi，ｘ2i-1，ｘai，ｘ2i，・・・
に変換される。
【０００８】
このデータ列（ｘbi，ｘ2i-1，ｘai，ｘ2i）は図２に詳しく示す信号処理回路３２及びメモリ３３によりエンコードされ、次いでＤＶＤ符号化回路３４によりＤＶＤエンハンストオーディオフォーマットでパッキングされる。このパッキングデータは出力端子ＯＵＴ１に出力されるか、又は媒体に応じた変調方式で変調回路３５により変調されて出力端子ＯＵＴ２に出力される。
【０００９】
図２を参照して信号処理回路３２の構成を詳しく説明する。まず、１／２の帯域を通過させるローパスフィルタ３６、例えばＦＩＲフィルタにより、図３に示す曲線αに対応するデータ列（ｘbi，ｘ2i-1，ｘai，ｘ2i）から、帯域制限された曲線βに対応するデータ列
ｘc1，＊，＊，＊，ｘc2，＊，＊，＊，ｘc3，＊，＊，＊，・・・，ｘci，
＊，＊，＊，・・・
を得、次にこのデータ列の内、データ「＊」を間引き回路３７により間引くことによりデータ列
ｘc1，ｘc2，ｘc3，・・・，ｘci，・・・
を生成する。ここで、データ列ｘciはＡ／Ｄコンバータ３１によりＡ／Ｄ変換されたデジタルデータの帯域制限してサンプリング周波数を１／４に低減したデータ列となっている。また、データ列（ｘbi，ｘ2i-1，ｘai，ｘ2i）の内、データｘi を間引き回路３８により間引くことによりデータ列
ｘb1，ｘa1，ｘb2，ｘa2，・・・，ｘbi，ｘai，・・・
を生成する。
【００１０】
そして、これらのデータ列ｘci、ｘbi、ｘaiに基づいて、差分計算器として作用する加算器３９により差分
ｘbi−ｘci＝Δ1i
ｘai−ｘci＝Δ2i
を演算する。ここで、差分データΔ1i、Δ2iは例えば２４ビット又はそれ以下であり、また、ビット数は固定でも可変でもよい。アロケーション回路４０はデータ列ｘci及び差分データΔ1i、Δ2iを図４に示すようなフォーマットのユーザデータにパッキングし（１パケット＝２０３４バイト）、そのユーザデータをＤＶＤ符号化回路３４に出力する。
【００１１】
ＤＶＤ符号化回路３４はこの１パケットが２０３４バイトのユーザデータに対し、図５に示すように４バイトのパックスタート情報と、６バイトのＳＣＲ（System Clock Reference：システム時刻基準参照値）情報と、３バイトMux rate情報と１バイトのスタッフィングの合計１４バイトのパックヘッダを付加してオーディオ（Ａ）パックを構成する（１パック＝合計２０４８バイト）。また、Ｖパックの場合には、ユーザデータエリアには映像信号やデータが配置される。また、プログラム（Ｐ）パックのユーザデータエリアには、後述するボーナス情報やグループ毎の楽曲を再生するためのプログラムが配置される。
【００１２】
この場合、タイムスタンプであるＳＣＲ情報を、ＡＣＢユニット内の先頭パックでは「１」として同一アルバム内で連続とすることにより同一アルバム内のＡパックの時間を管理することができる。また、ＳＣＲ情報としてグループ毎に番号付けすることによりＡパックをグループ分けすることができる。
【００１３】
ＤＶＤ符号化回路３４はまた、図６に示すようなＤＶＤ−エンハンストオーディオディスクのリードインエリアとデータエリアに各種データを記録するためのフォーマッティングを行う。ここで、ＤＶＤのリードインエリアはリードインスタートからセクタ番号「０２Ｆ０００ｈ」の前までのオール００ｈのブロックと、セクタ番号「０２Ｆ０００ｈ」からセクタ番号「０２Ｆ０２０ｈ」の前までの２ブロック分のリファレンスコードブロックと、セクタ番号「０２Ｆ０２０ｈ」からセクタ番号「０２Ｆ２００ｈ」の前までの３０ブロック分のオール００ｈのブロックと、セクタ番号「０２Ｆ２００ｈ」からセクタ番号「０２ＦＥ００ｈ」の前までの１９２ブロック分のコントロールデータブロックと、セクタ番号「０２ＦＥ００ｈ」からセクタ番号「０３００００ｈ」の前までの３２ブロック分のオール００ｈのブロックにより構成されている。
【００１４】
データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳなどが記録される。ＩＳＯ９６６０とマイクロＵＤＦには、このディスクのディレクトリ構造がＤＶＤ−ＲＯＭの「コンピュータプログラム」か、「ビデオ」か、「オーディオ」か又は「エンハンストオーディオ」かが記述され、本発明に係るディスクには「エンハンストオーディオ」を示すディスク識別子が記述される。
【００１５】
上記のリードインエリアにおけるコントロールデータブロックは図７に示すように、フィジカル・フォーマット・インフォメーションのセクタと、ディスク製造インフォメーションのセクタと、著作権インフォメーションのセクタにより構成されている。また、フィジカル・フォーマット・インフォメーションのセクタは図８に示すように、ブックタイプ及びパートバージョンのエリアと、ディスクサイズ及びミニマムリードアウトのエリアと、ディスク構造のエリアと、記録密度のエリアと、データエリアアロケーションのエリアによりにより構成されている。
【００１６】
ブックタイプはディスク識別子として４ビットが割り当てられ、「ＤＶＤ−ＲＯＭディスク」か、「ＤＶＤ−ＲＡＭディスク」か又は「ＤＶＤ−Write Onceディスク」かが示される。本発明に係るディスクには「ＤＶＤ−ＲＯＭ」を示すディスク識別子が記述される。したがって、このブックタイプと図６に示すＩＳＯ９６６０とマイクロＵＤＦと合わせて、本発明に適用されるディスクには「ＤＶＤ−ＲＯＭ−エンハンストオーディオ」を示すディスク識別子が記述される。
【００１７】
ＤＶＤ符号化回路３４はまた、このＤＶＤ−ＲＯＭ−エンハンストオーディオディスクに対してメインの楽曲ソースの他に、カラオケ情報（信号形式は音楽＋映像）やＢＧＭ信号（信号形式は音楽）、ＭＩＤＩコード（信号形式はデータ）、クイズデータ（信号形式はデータ）を記録するために、図９（ｂ）に示すようなフォーマットで記録情報をパッキングする。
【００１８】
図９（ａ）、（ｂ）はそれぞれＤＶＤ−ビデオ、本発明に適用されるＤＶＤ−エンハンストオーディオの各フォーマットを示し、ＤＶＤ−エンハンストオーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−エンハンストオーディオのフォーマットはこれに対応してオーディオマネージャ（ＡＭＧ）と、ＡＭＧに続く複数のオーディオアルバムセット（ＡＡＳ）の各エリアにより構成されている。
【００１９】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＡＳの各々はこれに対応して先頭のＡＡＳインフォメーション（ＡＡＳＩ）と、それに続く１以上のオーディオコンテンツブロックセット（ＡＣＢＳ）と最後のＡＡＳＩにより構成されている。ＡＡＳＩには、ＡＣＢＳ内の各曲の演奏時間が実時間でセットされる。
【００２０】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１アルバム（Ａｌｂｕｍ）分である。ＶＣＢの各々（１タイトル）は複数のチャプタ（Ｃｈａｐｔｅｒ）により構成され、他方、ＡＣＢの各々（１アルバム）はこれに対応して複数のトラック（Ｔｒａｃｋ）により構成されている。チャプタはパートオブタイトル（ＰＴＴ）を含み、トラックはパートオブアルバム（ＰＴＡ）を含む。
【００２１】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００２２】
ＶＣＢユニットの各々は、先頭のコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、図１０に示すようにこれに対応して先頭のオーディオコントロールパック（以下、Ａ−ＣＯＮＴパック）と、それに続く複数のＡパックとＶパック、更にプログラム（Ｐ）パックにより構成される。
【００２３】
ＣＯＮＴパックには後続のＶパックを制御する情報が配置され、Ａ−ＣＯＮＴパックにはＣＤのＴＯＣ情報のように後続のＡパックのオーディオ信号とＰパックのコンピュータプログラムを管理するための情報が配置される。Ａパックのユーザデータエリアにはオリジナルの楽曲の他、ボーナス情報やグループ毎の情報としてカラオケ音楽、ＢＧＭなどのオーディオデータが配置され、Ｖパックのユーザデータエリアにはカラオケの映像などのビデオデータの他、オーディオデータ以外の例えばカラオケのスーパー字幕、ＭＩＤＩコード、クイズデータなどが配置される。また、Ｐパックのユーザデータエリアにはボーナス情報を再生するための暗証番号や、楽曲をグループ分けして再生するためのコンピュータプログラムが配置される。
【００２４】
Ａ−ＣＯＮＴパックは図１１に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、６３６バイトのＡＣＤ（オーディオキャラクタディスプレイ）情報と、３６０バイトの保留エリアにより構成されている。ＡＳＤパケットは同じく６バイトのパケットヘッダ及び１バイトのサブストリームＩＤと、図１２に詳しく示すような１０００バイトのＡＳＤ（オーディオサーチデータ）により構成されている。
【００２５】
ＡＳＤ（オーディオサーチデータ）は図１２に示すように、１６バイトのジェネラル情報と、８バイトの現在の番号情報と、１６バイトの現在時刻情報と、８バイトのアルバムセットサーチ情報と、８バイトのアルバムサーチ情報と、４０４バイトのトラックサーチ情報と、４０８バイトのインデックスサーチ情報と、ボーナス情報をサーチするための８０バイトのハイライトサーチ情報と、５２バイトの保留エリアにより構成されている。
【００２６】
このようなフォーマットにおいてＡパックに記録される原音楽信号に対するボーナス情報を記録する場合、例えばそのカラオケ情報を配置する場合、その音楽信号を、原音楽信号のＡパックに隣接して配置されるＡパックに記録すると共にカラオケ用文字データを、同じく隣接して配置されるＶパックに記録する方法が考えられる。また、そのＢＧＭ信号や録音時の練習音声などを、原音楽信号のＡパックに隣接して配置されるＡパックに記録する。また、原音楽信号のＭＩＤＩコードはＶパックに記録する。
【００２７】
このようなボーナス情報を再生する場合には、図１３に示すようなＤＶＤ−ＲＯＭエンハンストオーディオディスク専用のプレーヤ（または他のディスクとの互換機）が使用される。また、ディスクを購入したユーザは原音楽信号について無料で再生することができるが、ボーナス情報については適正な対価を支払って暗証番号を入力しなければならない。他の利用方法として、対価は無料としてクイズプログラムを記憶してこれをデコーダ側で表示し、正しい解答が入力された場合にボーナス情報を再生する利用形態も考えられる。また、楽曲をグループ分けしてグループ毎に再生するための再生プログラムをＰパックに記録したディスクの場合には、ユーザは個々の再生プログラムに対して対価を支払って、又は無料で暗証番号を入力する。
【００２８】
次に、図１３を参照してデコーダについて説明する。デジタルオーディオディスクから読み取られた信号はまず、エンコーダ側の変調回路３５の変調方式に応じて復調回路４１により復調され、次いでＤＶＤ復号回路４２によりリードインエリアのデータ、Ａ−ＣＯＮＴパック、Ａパック、Ｖパック、Ｐパックなどに分離される。制御部６３はこのリードインエリアのデータに基づいて初期処理として、図１４に示すようなディスク識別処理とプログラム読み込み処理を実行する。
【００２９】
まず、図８に示すブックタイプを読み込み（ステップＳ１１）、ブックタイプが「ＤＶＤ−ＲＯＭ」か否かを判別し（ステップＳ１２）、ＹＥＳの場合にはステップＳ１３以下に進み、ＮＯの場合には処理を終了する。ステップＳ１３では図６に示すＩＳＯ９６６０／マイクロＵＤＦのディレクトリ構造を読み込み、次いで「エンハンストオーディオ」か否かを判別し（ステップＳ１４）、ＹＥＳの場合にはステップＳ１５以下に進み、ＮＯの場合には処理を終了する。ステップＳ１５では図６に示すエンハンスト・オーディオＴＳ内のプログラムタイトルを見てプログラムを識別して読み込み、次いでこのプログラムを作動させる（ステップＳ１６）。
【００３０】
図１３において、ＤＶＤ復号回路４２により分離されたＡパック内のユーザデータ（データ列ｘciと差分データΔ1i、Δ2i）は、スイッチ５１を介してストリーム出力端子５２に印加されるとともに、図１５に詳しく示す信号処理回路４３（及びメモリ４４）に印加される。また、Ｖパック内のビデオデータはビデオプロセッサ４８とビデオ出力端子６４を介して外部のディスプレイに出力され、ＭＩＤＩコードはＭＩＤＩプロセッサ４９ａとＭＩＤＩ出力端子６５を介して外部の電子楽器に出力される。
【００３１】
信号処理回路４３では図１５に示すように、まず、加算器４６により
Δ1i＋ｘci＝ｘbi
Δ2i＋ｘci＝ｘai
が演算され、データ列ｘbi、ｘaiが復元される。ここで、データ列ｘbi、ｘaiは元の２４ビットである。
【００３２】
次いで補間処理回路４７ではデータ列ｘbi、ｘaiの複数のデータを用いて図１６に示すようにその間のデータ列ｘi が補間される。なお、補間処理回路４７では、例えばアップサンプリング方法を用いて、それぞれに０データを埋めてローパスフィルタを通過させることにより、補間データ列ｘi を求めることができる。補間データ列ｘi はまた、曲線近似や予測近似により求めるようにしてもよい。この場合、近似補助データを追加して伝送するようにすることで近似度を高めることができる。
【００３３】
このように補間処理されたデータは、
ｘb1，ｘ1 ，ｘa1，ｘ2 ，ｘb2，ｘ3 ，ｘa2，
・・・，ｘbi，ｘ2i-1，ｘai，ｘ2i，・・・
のように配列され、このオーディオＰＣＭ信号が図１３に示すＤ／Ａコンバータ４５と、ＬＰＦ（ローパスフィルタ）５６に印加される。
【００３４】
Ｄ／Ａコンバータ４５では、エンコーダ側で２４ビットの量子化ビット数でＡ／Ｄ変換され、したがって、エンコードされて記録媒体に記録され、デコーダ側の信号処理回路４３により処理されたデータ列（ｘbi，ｘ2i-1，ｘai，ｘ2i）が１９２ｋＨｚのサンプリング周波数でアナログオーディオ信号に変換されてアナログ出力端子５５を介して出力される。また、ＬＰＦ５６ではこの入力データが例えば１／４の帯域（４８ｋＨｚ）に制限され、デジタルオーディオデータとして出力端子５３を介して出力される。
【００３５】
また、この実施形態では、媒体を介して伝送されたビットストリーム（データ列ｘciと差分データΔ1i、Δ2i）は、そのままの状態でスイッチ５１及びビットストリーム出力端子５２を介して出力可能であり、また、暗証番号が入力されるとともにコピー（録音）許可信号を出力するための端子４９と、この端子４９を介して入力した暗証番号とサブヘッダ内の著作権データに基づいてスイッチ５１をオンにする暗号解読部５０が設けられている。暗号解読部５０は暗証番号の真正性を判断する認証機能を含んでいる。
【００３６】
暗号解読部５０は暗証番号が入力されると、認証のチェックを受けそれが真正なものと認証された場合に、サブヘッダ内の著作権データの内のコピー許可条件、例えば「支払い条件」をチェックし、ＯＫの場合にはスイッチ５１をオンにすることによりビットストリームのコピーを許可する。
【００３７】
また、操作部６２として例えばコンピュータのキーボードからのインタラクティブ入力信号により再生箇所を指定したり、クイズプログラムを表示部６１に表示して正しい解答を操作部６２を介して入力させることができる。この場合、帯域制限を行ったり、帯域制限を行うことなく出力することができ、また、複数のシーンから適した音声や映像を選択してストリー化（ハイライト化）して再生するようにしてもよい。
【００３８】
次に、図１７を参照して制御部６３の再生処理について説明する。ステップＳ１においてボーナスコンピュータプログラムが選択された場合にはステップＳ２に進み、他の場合にはステップＳ５に進む。ステップＳ２では暗証番号の入力を待ち、暗証番号が入力されると正しいか否かを判断し（ステップＳ３）、正しい場合にはステップＳ４に進み、正しくない場合にはステップＳ５に進む。ステップＳ４ではボーナスコンピュータプログラムを選択してロードし（ステップＳ４）、次いで指示に応じた再生を行う（ステップＳ５）。
【００３９】
ここで、コンピュータプログラムをＰパックに配置して、オリジナルの楽曲のＡパックと混在して配置してもよいが、代わりにディスクの特定のトラックに記録するようにしてもよい。例えば図１８に示すように、ディスクには径方向Ｄの内周から外周に向かって、リードインエリア７ａと、データエリア７ｂ、７ｅとリードアウトエリア７ｆに分割し、内周側のデータエリア７ｂにはコンピュータプログラムを記録し、外周側のデータエリア７ｅには音楽情報などを記録するようにしてもよい。この場合には、適正な暗証番号が入力された場合や、内蔵されたコンピュータプログラムのクイズの質問で正解が得られた場合のように、再生許可条件に適合した場合にのみコンピュータプログラムのトラックにアクセスして再生する。また、図１２に示すＡＳＤに記録されたハイライトサーチ情報に基づいて再生するようにしてもよい。
【００４０】
図１９、図２０はぞれぞれ他の実施例の再生プレーヤ、再生方法を示している。図１９に示す再生装置１００は図１３に示すデコーダと同一の構成であり、再生装置１００内の制御部６３に対してカード型電子マネー１０２のデータを読み取るためのカード読取装置１０１が接続されている。そして、制御部６３は図２０に示すように操作部６２の再生ボタンが押されると（ステップＳ２１）、カード型電子マネー１０２に対して再生料を課金し（ステップＳ２２）、次いで再生を行う（ステップＳ２３）。
【００４１】
以上説明した本発明により提供されるＤＶＤ−ＲＯＭ−エンハンストオーディオディスクに記録されるソフトは、
Ａ．ボーナス情報（ボーナス楽曲）
Ｂ．別用途のプログラム（カラオケ再生プログラムなど）
Ｃ．ボーナスプログラム
であり、また、プログラムＢ、Ｃが記録されるエリアは
ａ．Ｐパック
ｂ．データエリア７ｂのプログラム領域
である。
【００４２】
そして、これらを組み合わせると次の１０通りの方法がある。
（１）Ａ＋ａ（プログラムは１つであり、ボーナス情報Ａを有料またはクイズの正解で再生する）
（２）Ａ＋ｂ（プログラムは１つであり、ボーナス情報Ａを有料またはクイズの正解で再生する）
（３）Ｂ＋ａ（プログラムは２以上であって１つが選択され、別のディスクソフト（カラオケソフトなど）として利用される）
（４）Ｂ＋ｂ（プログラムは２以上であって１つが選択され、別のディスクソフトとして利用される）
（５）Ａ＋Ｂ＋ａ（プログラムはＰパックにあって２以上であり、１つが選択されると別のディスクソフトとして利用される。ボーナス情報Ａを有料またはクイズの正解で再生する）
（６）Ａ＋Ｂ＋ｂ（プログラムはプログラム領域にあって２以上であり、１つが選択されると別のディスクソフトとして利用される。また、ボーナス情報Ａを有料またはクイズの正解で再生する）
（７）Ｃ＋ａ（プログラムは基本的に１つであるが、ボーナスとして別のプログラムが選択可能であり、別のディスクソフトとして利用される）
（８）Ｃ＋ｂ（プログラムは基本的に１つであるが、ボーナスとして別のプログラムが選択可能であり、別のディスクソフトとして利用される）
（９）Ａ＋Ｃ＋ａ（プログラムはＰパックにあって基本的に１つであるが、ボーナスとして別のプログラムが選択可能であり、別のディスクソフトとして利用される。また、ボーナス情報Ａを有料またはクイズの正解で再生する）
（１０）Ａ＋Ｃ＋ｂ（プログラムはプログラム領域にあって基本的に１つであるが、ボーナスとして別のプログラムが選択可能であり、別のディスクソフトとして利用される。また、ボーナス情報Ａを有料またはクイズの正解で再生する。
【００４３】
【発明の効果】
以上説明したように本発明によれば、１以上の楽曲と、楽曲に関するボーナス情報と、ボーナス情報にアクセスするためのインタラクティブデータと、ディスク識別子をデジタルオーディオディスクに記録し、再生側でディスク識別子に基づいてインタラクティブデータの入力を受け入れるか否かを判定し、受け入れると判定した場合、正しいインタラクティブデータが入力された場合にボーナス情報の再生を許可するようにしたので、例えばオリジナルの楽曲と、その楽曲に関するボーナス情報としてカラオケ、ＢＧＭ、ＭＩＤＩ、録音時の練習音声などのデータを記録し、オリジナルの楽曲は無料で再生を許可するが、ボーナス情報はユーザが対価の支払いで知得した暗証番号をインタラクティブデータとして入力した場合に再生を許可するような利用形態が考えられ、したがって、ユーザが多種多様な再生を行うことができ、また、ディスク製作者が同一ディスクを異なる方法で利用することができる。
【図面の簡単な説明】
【図１】本発明に適用されるＤＶＤエンハンストオーディオディスクのエンコード装置の一実施形態を示すブロック図である。
【図２】図１の信号処理回路を詳細に示すブロック図である。
【図３】図１のＡ／Ｄ変換器のサンプリング周期とＡ／Ｄ変換データ列を示す説明図である。
【図４】図２の信号処理回路により処理されたユーザデータのフォーマットを示す説明図である。
【図５】図１のＤＶＤ符号化回路によりフォーマットされるオーディオパックと、ビデオパックとプログラムパックのフォーマットを示す説明図である。
【図６】本発明に適用される係るＤＶＤエンハンストオーディオディスクのリードインエリアとデータエリアのフォーマットを示す説明図である。
【図７】図６のコントロールデータブロックのフォーマットを詳細に示す説明図である。
【図８】図７のフィジカル・フォーマット・インフォメーションのフォーマットを詳細に示す説明図である。
【図９】ＤＶＤビデオのフォーマットと図１のＤＶＤ符号化回路によりフォーマットされるＤＶＤ−エンハンストオーディオのフォーマットを示す説明図である。
【図１０】図９のオーディオコンテンツブロックユニット（ＡＣＢＵ）を詳細に示す説明図である。
【図１１】図１０のオーディオコントロール（Ａ−ＣＯＮＴ）パックを詳細に示す説明図である。
【図１２】図１１のＡ−ＣＯＮＴパック内のオーディオサーチデータ（ＡＳＤ）を詳細に示す説明図である。
【図１３】本発明に適用されるＤＶＤエンハンストオーディオディスクのデコード装置の一実施形態を示すブロック図である。
【図１４】図１３の制御部のディスク識別処理とプログラム読み込み処理を説明するためのフローチャートである。
【図１５】図１３の信号処理回路を詳細に示すブロック図である。
【図１６】図１５の信号処理回路の処理を示す説明図である。
【図１７】図１３の制御部の再生処理を説明するためのフローチャートである。
【図１８】プログラムエリアの他の例を示す説明図である。
【図１９】他の実施例の再生プレーヤを示すブロック図である。
【図２０】図１９に示す実施例の再生処理を説明するためのフローチャートである。
【符号の説明】
３１  Ａ／Ｄ変換器（Ａ／Ｄ変換手段）
３４  ＤＶＤ符号化回路（記録手段）
６２  操作部（入力手段）
６３  制御部（判定手段、再生手段）
【図１】
0003724727.tif 000002
【図２】
0003724727.tif 000003
【図３】
0003724727.tif 000004
【図４】
0003724727.tif 000005
【図５】
0003724727.tif 000006
【図６】
0003724727.tif 000007
【図７】
0003724727.tif 000008
【図８】
0003724727.tif 000009
【図９】
0003724727.tif 000010
【図１０】
0003724727.tif 000011
【図１１】
0003724727.tif 000012
【図１２】
0003724727.tif 000013
【図１３】
0003724727.tif 000014
【図１４】
0003724727.tif 000015
【図１５】
0003724727.tif 000016
【図１６】
0003724727.tif 000017
【図１７】
0003724727.tif 000018
【図１８】
0003724727.tif 000019
【図１９】
0003724727.tif 000020
【図２０】
0003724727.tif 000021